(57)【要約】【課題】  穀粒搬送パイプの外側方を覆うカバーの外観を向上させると共に、カバー内に水や塵埃が侵入する不都合を解消する。【解決手段】  穀粒タンク３の後方に立設される縦パイプ７の外側方を、穀粒タンク３の後部に設けられる開閉カバー１１で覆うと共に、穀粒タンク３が縦パイプ７を支点として回動したとき、開閉カバー１１を弾機の付勢力で自動的に開放動作させるコンバイン１において、開閉カバー１１に、常時はストライカ１７に係合して開閉カバー１１の開放動作をロックし、かつ、穀粒タンク３の後方への回動に応じて、ストライカ１７との係合を自動的に解除する開放ロック機構１５を設けるにあたり、開放ロック機構１５を、開閉カバー１１自体の開放操作に応じて、ストライカ１７との係合を解除するように構成する。【選択図】        図６
2005058173.tif 000002
【特許請求の範囲】
【請求項１】
穀粒タンクの後方に立設される穀粒搬送パイプの外側方を、前記穀粒タンクの後部に開閉自在に設けられるカバーで覆うと共に、前記穀粒タンクが前記穀粒搬送パイプを支点として後方に回動したとき、前記カバーを弾機の付勢力で自動的に開放動作させるコンバインにおいて、前記カバーに、常時は固定部材に係合して前記カバーの開放動作をロックし、かつ、前記穀粒タンクの後方への回動に応じて、前記固定部材との係合を自動的に解除する開放ロック機構を設けるにあたり、該開放ロック機構は、前記カバー自体の開放操作に応じて、前記固定部材との係合を解除するように構成されることを特徴とするコンバイン。
【請求項２】
前記開放ロック機構は、前記固定部材に後方から係合するフック部材と、該フック部材を前後回動自在に支持するフック回動軸と、前記フック部材を前方に付勢する弾機とを備え、前記カバーの回動軸から前記フック回動軸までの距離が、前記カバーの回動軸から前記固定部材までの距離よりも大きく設定されることを特徴とする請求項１記載のコンバイン。
【発明の詳細な説明】
【技術分野】
【０００１】
本発明は、穀粒搬送パイプを支点として回動自在な穀粒タンクを備えると共に、穀粒タンクの後部に、穀粒搬送パイプの外側方を覆うカバーが設けられたコンバインに関する。
【背景技術】
【０００２】
一般に、この種コンバインのなかには、穀粒が貯溜される穀粒タンクの後方に、タンク内の穀粒を機外に搬送するための穀粒搬送パイプを立設すると共に、該穀粒搬送パイプを支点として前記穀粒タンクを機体外側方に回動自在とし、さらに穀粒タンクの後部に、穀粒搬送パイプの外側方を覆う開閉自在なカバーを設けたものがある。
しかしながら、このようなコンバインでは、カバーを閉じたまま穀粒タンクを後方に回動操作すると、カバーに無理な力が作用して、カバーが変形する可能性がある。
【０００３】
そこで、穀粒タンクの回動に連動して、カバーを自動的に開放動作させるものが提案されている（例えば、特許文献１参照。）。特許文献１に示されるコンバインは、カバーを常時開放側に付勢すると共に、このカバーに、常時は固定部材に後方から係合してカバーの開放動作をロックし、かつ、穀粒タンクの後方への回動に応じて、固定部材との係合を自動的に解除する開放ロック機構を設けて構成されている。
【特許文献１】特開平１０−１１７５７８号公報
【発明の開示】
【発明が解決しようとする課題】
【０００４】
しかしながら、特許文献１に示されるコンバインでは、固定部材に係合するフック部材を、カバーを貫通するように設け、カバーの外側からロック解除操作するように構成されているため、フック部材のロック解除操作部がカバーの外部に露出して、カバーの外観を損なうばかりでなく、フック部材を貫通させるための孔からカバー内部に水や塵埃が侵入するという問題があった。
【課題を解決するための手段】
【０００５】
本発明は、上記の如き実情に鑑みこれらの課題を解決することを目的として創作されたものであって、穀粒タンクの後方に立設される穀粒搬送パイプの外側方を、前記穀粒タンクの後部に開閉自在に設けられるカバーで覆うと共に、前記穀粒タンクが前記穀粒搬送パイプを支点として後方に回動したとき、前記カバーを弾機の付勢力で自動的に開放動作させるコンバインにおいて、前記カバーに、常時は固定部材に係合して前記カバーの開放動作をロックし、かつ、前記穀粒タンクの後方への回動に応じて、前記固定部材との係合を自動的に解除する開放ロック機構を設けるにあたり、該開放ロック機構は、前記カバー自体の開放操作に応じて、前記固定部材との係合を解除するように構成されることを特徴とする。
また、前記開放ロック機構は、前記固定部材に後方から係合するフック部材と、該フック部材を前後回動自在に支持するフック回動軸と、前記フック部材を前方に付勢する弾機とを備え、前記カバーの回動軸から前記フック回動軸までの距離が、前記カバーの回動軸から前記固定部材までの距離よりも大きく設定されることを特徴とする。
【発明の効果】
【０００６】
請求項１の発明によれば、開放ロック機構は、カバー自体の開放操作に応じて、固定部材との係合を解除するため、カバーの外部に開放ロック機構のロック解除操作部を設けたり、ロック解除操作部をカバー外部に臨ませるための貫通孔が不要になる。これにより、カバーの外観を向上させることができるだけでなく、貫通孔から水や塵埃が侵入する不都合を解消することができる。
また、請求項２の発明によれば、カバーの回動軸からフック回動軸までの距離が、カバーの回動軸から固定部材までの距離よりも大きく設定されるので、カバー自体の開放操作に応じて、フック部材と固定部材との係合を確実に解除することができる。
【発明を実施するための最良の形態】
【０００７】
次に、本発明の実施形態について、図面に基づいて説明する。図１において、１はコンバインであって、該コンバイン１は、茎稈を刈り取る前処理部２と、刈り取った茎稈から穀粒を脱穀し、この穀粒を選別する脱穀部（図示せず）と、選別済みの穀粒を貯溜する穀粒タンク３と、脱穀済みの排稈を後処理する後処理部４と、運転席や操作具が設けられる操作部５と、クローラ式の走行部６とを備える。
【０００８】
図２及び図３に示すように、穀粒タンク３に貯溜された穀粒は、穀粒タンク３の後面下端部に固設される固定パイプ（図示せず）と、該固定パイプに回動自在に接続される縦パイプ７（穀粒搬送パイプ）と、該縦パイプ７の上端に一体回動可能で、かつ、上下方向揺動自在に接続される排出パイプ８とを経由して機外に排出される。つまり、穀粒タンク３の底部には、前後方向を向く横螺旋搬送体（図示せず）が配設されており、該横螺旋搬送体が固定パイプまで搬送した穀粒を、縦パイプ７及び排出パイプ８に内装される螺旋搬送体が引き継ぎ、これを排出パイプ８の先端まで搬送するように構成されている。
【０００９】
穀粒タンク３は、縦パイプ７を支点として機体外方（後方）に回動自在となっている。例えば、穀粒タンク３の後面下側に固設される固定パイプを、機体フレームで回動自在に支持すると共に、穀粒タンク３の後面上側に設けられるボス部材９を、縦パイプ７で回動自在に支持すれば、縦パイプ７を支点とする穀粒タンク３の回動が可能になる。そして、穀粒タンク３を機体外方に回動させた場合には、機体中心部が開放されるため、機体中心部のメンテナンスが容易になる。
【００１０】
図２及び図３に示すように、縦パイプ７の後方及び右側方は、固定カバー１０及び開閉カバー（カバー）１１で覆われている。固定カバー１０及び開閉カバー１１は、縦パイプ７の後方に立設される支柱１２を境として分割形成されており、その左側に設けられる固定カバー１０は、支柱１２などに対して固定取付されている。一方、開閉カバー１１は、縦パイプ７の右側方を覆う側板部１１ａと、該側板部１１ａの後端から内側方に延出して縦パイプ７の右後方を覆う後板部１１ｂとを備えて平面視Ｌ字形状に形成されている。開閉カバー１１の前端部は、穀粒タンク３の後端部に設けられるカバーブラケット１３に対し、上下方向を向くカバー回動軸１４を介して回動自在に支持されており、このカバー回動軸１４を支点とする開閉カバー１１の回動により、縦パイプ７の右側方及び右後方が開閉される。また、穀粒タンク３と開閉カバー１１との間には、図示しない弾機が介設され、この弾機によって開閉カバー１１が常時開放側に付勢されている。
【００１１】
図４に示すように、開閉カバー１１における後板部１１ｂの前面（内側面）には、開閉カバー１１の開放動作をロックするための開放ロック機構１５が設けられている。開放ロック機構１５は、開閉カバー１１の内側面に設けられるブラケット１６と、該ブラケット１６から左前方へ突出し、支柱１２に設けられるコ字状のストライカ（固定部材）１７に後方から係合するフック部材１８と、フック部材１８とブラケット１６との間に介設され、フック部材１８を前後回動自在に支持するフック回動軸１９と、フック部材１８とブラケット１６との間に介設され、フック部材１８を係合側（前側）に付勢する弾機２０とを備えて構成されている。
【００１２】
つまり、開放ロック機構１５は、ストライカ１７に対するフック部材１８の係合により、開閉カバー１１の開放動作をロックするように構成されるが、開放ロック機構１５を構成する部材は、いずれも開閉カバー１１の外側に露出することなく、開閉カバー１１の内側に設けられている。また、カバー回動軸１４からフック回動軸１９までの距離Ａは、カバー回動軸１４からストライカ１７までの距離Ｂよりも大きく設定される。これにより、開閉カバー１１自体に開放方向の力が作用したとき、フック部材１８に係合解除方向の力が作用することになる。
【００１３】
次に、開放ロック機構１５の動作について、図５及び図６を参照して説明する。図５の（Ａ）に示すように、開閉カバー１１が閉状態のときは、フック部材１８の係合溝１８ａがストライカ１７に係合し、開閉カバー１１の開放動作がロックされる。図５の（Ｂ）に示すように、穀粒タンク３が縦パイプ７を支点として後方に回動操作されると、フック部材１８はストライカ１７から離間する方向に移動する。図５の（Ｃ）に示すように、フック部材１８がストライカ１７から外れると、開閉カバー１１の開放ロックが解除され、開閉カバー１１が弾機の付勢力で自動的に開放動作することになる。
【００１４】
また、図６の（Ａ）に示すように、開放動作がロックされた開閉カバー１１を手動で開放させる場合は、開閉カバー１１自体、例えば開閉カバー１１の先端傾斜部１１ｃを開放方向に操作する。このように開閉カバー１１を開放操作すると、図６の（Ｂ）、（Ｃ）に示すように、フック部材１８が弾機２０に抗して後方に回動しながら、ストライカ１７から外れる。これにより、開閉カバー１１の手動開放操作が可能になる。
【００１５】
一方、開放した開閉カバー１１を閉じ状態にするには、開閉カバー１１自体を閉じ方向に操作する。開閉カバー１１が閉じ方向に回動すると、フック部材１８の先端部に形成される傾斜部１８ｂがストライカ１７に接当することにより、フック部材１８が後方に回動しながらストライカ１７を乗り越える。これにより、フック部材１８の係合溝１８ａがストライカ１７に自動的に係合し、開閉カバー１１の開放動作がロックされることになる。
【００１６】
叙述の如く構成された本実施形態のコンバイン１では、開閉カバー１１に、常時はストライカ１７に係合して開閉カバー１１の開放動作をロックし、かつ、穀粒タンク３の後方への回動に応じて、ストライカ１７との係合を自動的に解除する開放ロック機構１５を設けるにあたり、開放ロック機構１５は、開閉カバー１１自体の開放操作に応じて、ストライカ１７との係合を解除するように構成されるため、開閉カバー１１の外部に開放ロック機構１５のロック解除操作部を設けたり、ロック解除操作部をカバー外部に臨ませるための貫通孔が不要になる。これにより、開閉カバー１１の外観を向上させることができるだけでなく、貫通孔から水や塵埃が侵入する不都合を解消することができる。
【００１７】
また、開放ロック機構１５は、ストライカ１７に後方から係合するフック部材１８と、該フック部材１８を前後回動自在に支持するフック回動軸１９と、フック部材１８を前方に付勢する弾機２０とを備えて構成され、カバー回動軸１４からフック回動軸１９までの距離Ａが、カバー回動軸１４からストライカ１７までの距離Ｂよりも大きく設定されるため、開閉カバー１１自体の開放操作に応じて、フック部材１８とストライカ１７との係合を確実に解除することができる。
【図面の簡単な説明】
【００１８】
【図１】コンバインの側面図である。
【図２】開閉カバーを閉じた状態を示すコンバインの要部斜視図である。
【図３】開閉カバーを開いた状態を示すコンバインの要部斜視図である。
【図４】開放ロック機構を示す要部平面図である。
【図５】（Ａ）〜（Ｃ）は、穀粒タンクの回動に伴う開閉カバーの開放動作を示す説明図である。
【図６】（Ａ）〜（Ｃ）は、手動開放操作に伴う開閉カバーの開放動作を示す説明図である。
【符号の説明】
【００１９】
１    コンバイン
３    穀粒タンク
７    縦パイプ
１０  固定カバー
１１  開閉カバー
１４  カバー回動軸
１５  開放ロック機構
１６  ブラケット
１７  ストライカ
１８  フック部材
１９  フック回動軸
２０  弾機
【図１】
2005058173.tif 000003
【図２】
2005058173.tif 000004
【図３】
2005058173.tif 000005
【図４】
2005058173.tif 000006
【図５】
2005058173.tif 000007
【図６】
2005058173.tif 000008